(57)【要約】【課題】監視システムに適用される、簡素化させた情報伝送装置を提供することにある。【解決手段】情報A〜Dの各インターフェース210xa4〜210xd4と、ＬＡＮコントローラ210x1と、メモリ210x3と、中央処理装置210x2とを備えた処理部210x からなり、処理部はＬＡＮ３に接続され、コントローラにはＭＡＣアドレスが割り付けられ、メモリには情報の各ＩＰアドレスが記憶され、ある特定の監視対象21に対し、ある特定の情報Ａを取得するために、その監視対象のＭＡＣアドレスと、その情報のＩＰアドレスとを付加したパケットが親局１から送信されると、コントローラはＭＡＣアドレスをチェックし、パケットが要と判断すると、中央処理装置はＩＰアドレスをチェックして情報のＩＰアドレスを判断し、同じと判断すると、特定の情報の各インターフェースを経由してその情報が変換された信号をコントローラに入力させ、その信号を付加したパケットを親局に送信させる。【選択図】図１
2007096780.tif 000002
【特許請求の範囲】
【請求項１】
複数の監視対象にそれぞれ設けられて前記監視対象における複数の監視情報を収集・送信する子局と、前記監視情報を前記監視対象外で一括または集中して監視できる親局との間を、前記複数の監視対象間に構築されたＬＡＮに前記親局が接続されて前記ＬＡＮを介し、または、前記複数の監視対象間に構築されたＬＡＮがインターネットに接続され、前記インターネットに前記親局が接続されて前記インターネット及び前記ＬＡＮを介して前記監視情報を伝送する前記子局の情報伝送装置において、
前記複数の監視情報に対応する各インターフェースと、１つのＬＡＮコントローラと、メモリと、１つの中央処理装置とを備えた１つの監視情報処理部からなり、
前記監視情報処理部は前記ＬＡＮに接続され、
前記ＬＡＮコントローラには、固有のＭＡＣアドレスが割り付けられ、
前記メモリには、前記複数の監視情報に対応するＩＰアドレスがそれぞれ記憶され、
ある特定の前記監視対象に対し、ある特定の前記監視情報を取得するために、前記特定の監視対象の前記ＬＡＮコントローラに割り付けられた前記ＭＡＣアドレスと前記特定の監視情報に割り当てられた前記ＩＰアドレスとを少なくとも付加したパケットが前記親局から送信されると、前記ＬＡＮコントローラは前記パケット中のＭＡＣアドレスをチェックして前記パケットが要であるか、不要であるかを判断し、前記パケットが要であると判断すると、前記中央処理装置は、前記パケット中のＩＰアドレスをチェックして前記複数の監視情報にそれぞれ割り当てたＩＰアドレスと同じか、異なるかを判断し、同じであると判断すると、前記特定の監視情報に対応する前記インターフェースを経由して前記特定の監視情報が変換された信号を前記ＬＡＮコントローラに入力させ、前記信号を付加したパケットを前記親局に送信させるようにした情報伝送装置。
【発明の詳細な説明】
【技術分野】
【０００１】
本発明は、複数の監視対象にそれぞれ設けられて監視対象における複数の監視情報を収集・送信する子局と、監視情報を監視対象外で一括または集中して監視できる親局との間を、複数の監視対象間に構築されたＬＡＮに親局が接続されてＬＡＮを介し、または、複数の監視対象間に構築されたＬＡＮがインターネットに接続され、インターネットに親局が接続されてインターネット及びＬＡＮを介して監視情報を伝送する子局の情報伝送装置に関するものである。
【背景技術】
【０００２】
監視対象となっている工場、ビル等のような比較的大規模の建造物には開閉器及び受配電変圧器を収容した電気室が設けられており、ここから建造物内に設けられた動力、電灯等の各負荷に電力供給を行っている。この建造物の所有者または管理者は監視情報として、例えば、各負荷の使用電力量を監視する場合、各負荷に対応して設けられた電力量計を一箇所に集中することが多い。この場合、一括または集中された監視情報は、例えば、電気室で監視されることになる。
【０００３】
また、上記のように一括または集中された監視情報を、複数の建造物に対し、さらに一括または集中して監視する必要がある場合がある。この場合、監視情報のデータ伝送路として、上記建造物間に構築されているＬＡＮが使用されている。このようなＬＡＮを介して監視情報を伝送する監視システムは、例えば、特許文献１に示されている。
【０００４】
図２は従来の一般的な監視システムを示す概略構成図である。図３は図２の監視システムに適用される情報伝送装置を示すブロック図である。
【０００５】
監視システムは、図示するように、親局（中央制御装置）１、各監視対象２１，２２，２３，…内に設けられている子局の情報伝送装置２１０′，２２０′，２３０′，…及びＬＡＮ３を備えて構成されており、親局１及び各子局の情報伝送装置２１０′，２２０′，２３０′，…は、各監視対象２１，２２，２３，…間に構築されているＬＡＮ３にそれぞれ接続されている。
【０００６】
監視情報は、各監視対象２１，２２，２３，…の全てが、例えば、積算電力量情報、開閉器の開閉情報、パルス電力量情報、また瞬時電流、瞬時電圧、瞬時電力値等のテレメータ情報としている。
【０００７】
例えば監視対象２１に設けられている子局の情報伝送装置２１０′は、監視対象２１における積算電力量情報Ａ、開閉器の開閉情報Ｂ、パルス電力量情報Ｃ、テレメータ情報Ｄの監視情報を収集・送信するために、各監視情報に対応して、監視情報Ａ処理部２１０ａ′、監視情報Ｂ処理部２１０ｂ′、監視情報Ｃ処理部２１０ｃ′及び監視情報Ｄ処理部２１０ｄ′から構成されている。
【０００８】
監視情報Ａ，Ｂ，Ｃ，Ｄは、監視対象２１内に設けられた、図示しないセンサ、トランスデューサ等からの出力である。
【０００９】
監視情報Ａ処理部２１０ａ′は、ＬＡＮコントローラ２１０ａ１′と、中央処理装置（ＣＰＵ）２１０ａ２′と、メモリ２１０ａ３′と、監視情報Ａに対応する情報Ａ用インターフェース２１０ａ４′とを備え、監視情報Ｂ処理部２１０ｂ′は、ＬＡＮコントローラ２１０ｂ１′と、中央処理装置（ＣＰＵ）２１０ｂ２′と、メモリ２１０ｂ３′と、監視情報Ｂに対応する情報Ｂ用インターフェース２１０ｂ４′とを備え、監視情報Ｃ処理部２１０ｃ′は、ＬＡＮコントローラ２１０ｃ１′と、中央処理装置（ＣＰＵ）２１０ｃ２′と、メモリ２１０ｃ３′と、監視情報Ｃに対応する情報Ｃ用インターフェース２１０ｃ４′とを備え、監視情報Ｄ処理部２１０ｄ′は、ＬＡＮコントローラ２１０ｄ１′と、中央処理装置（ＣＰＵ）２１０ｄ２′と、メモリ２１０ｄ３′と、監視情報Ｄに対応する情報Ｄ用インターフェース２１０ｄ４′とを備えている。
【００１０】
ＬＡＮコントローラ２１０ａ１′、ＬＡＮコントローラ２１０ｂ１′、ＬＡＮコントローラ２１０ｃ１′及びＬＡＮコントローラ２１０ｄ１′は、ＬＡＮ３に接続されている。  
【００１１】
ＬＡＮコントローラ２１０ａ１′、ＬＡＮコントローラ２１０ｂ１′、ＬＡＮコントローラ２１０ｃ１′及びＬＡＮコントローラ２１０ｄ１′には、各固有のＭＡＣアドレスがハード的に割り付けられている。
【００１２】
メモリ２１０ａ３′、メモリ２１０ｂ３′、メモリ２１０ｃ３′及びメモリ２１０ｄ３′には、ソフト的に割り当てた、監視情報Ａ，Ｂ，Ｃ，Ｄに対応するＩＰアドレスがそれぞれ記憶されている。
【００１３】
情報Ａ用インターフェース２１０ａ４′は、監視情報Ａを信号に変換し、その信号を出力し、情報Ｂ用インターフェース２１０ｂ４′は、監視情報Ｂを信号に変換し、その信号を出力し、情報Ｃ用インターフェース２１０ｃ４′は、監視情報Ｃを信号に変換し、その信号を出力し、情報Ｄ用インターフェース２１０ｄ４′は、監視情報Ｄを信号に変換し、その信号を出力する。
【００１４】
このような構成において、ある特定の監視対象２１に対し、ある特定の監視情報Ａを取得するために、上記特定の監視対象２１のＬＡＮコントローラ２１０ａ１′に割り付けられたＭＡＣアドレスと、上記特定の監視情報Ａに割り当てたＩＰアドレスとを少なくとも付加したパケットが親局（中央制御装置）１から送信されると、そのパケットがＬＡＮ３に伝送されるので、全ての監視対象２１，２２，２３，…でそのパケットが要であるか、不要であるかを判断させることになる。
【００１５】
ＬＡＮ３を介してパケットを受信した監視対象２１では、子局の情報伝送装置２１０′を構成する監視情報Ａ処理部２１０ａ′、監視情報Ｂ処理部２１０ｂ′、監視情報Ｃ処理部２１０ｃ′及び監視情報Ｄ処理部２１０ｄ′の各ＬＡＮコントローラ２１０ａ１′、ＬＡＮコントローラ２１０ｂ１′、ＬＡＮコントローラ２１０ｃ１′及びＬＡＮコントローラ２１０ｄ１′で、パケット中のＭＡＣアドレスがそれぞれチェックされる。その結果、ＭＡＣアドレスがＬＡＮコントローラ２１０ａ１′の自ＭＡＣアドレスに対応しているので、ＬＡＮコントローラ２１０ａ１′はそのパケットが要であると判断する。それ以外のＬＡＮコントローラ２１０ｂ１′、ＬＡＮコントローラ２１０ｃ１′及びＬＡＮコントローラ２１０ｄ１′は、パケット中のＭＡＣアドレスがこれらのＬＡＮコントローラに対応していないので、そのパケットが不要であると判断する。
【００１６】
ＬＡＮコントローラ２１０ａ１′はそのパケットが要であると判断すると、中央処理装置（ＣＰＵ）２１０ａ２′はパケット中のＩＰアドレスをチェックする。その結果、ＩＰアドレスが監視情報Ａに割り当てたＩＰアドレスに対応しているので、中央処理装置（ＣＰＵ）２１０ａ２′は、情報Ａ用インターフェース２１０ａ３′を経由して監視情報Ａが変換された信号をＬＡＮコントローラ２１０ａ１′に入力させ、その信号を付加したパケットを親局（中央制御装置）１に送信する。
【特許文献１】特開２００１−８３１９３号公報（図１）
【発明の開示】
【発明が解決しようとする課題】
【００１７】
従来では、監視情報処理部が各監視情報毎にそれぞれ必要となるために、子局の情報伝送装置のコストがアップするという問題が生じる。また、監視情報の増加を考慮することなく設計されているために、監視対象の所有者または管理者からの監視情報を増加する変更を、既設の情報伝送装置に対して要求される場合、それに対応する監視情報処理部がそれぞれ必要となるが、改造が容易でないという問題が生じると共に、この監視情報の増加に対し、子局の情報伝送装置のコストがアップするという問題が生じる。
【００１８】
本発明の目的は、監視システムに適用される、簡素化させた情報伝送装置を提供することにある。
【課題を解決するための手段】
【００１９】
請求項１に記載の発明は、複数の監視対象にそれぞれ設けられて監視対象における複数の監視情報を収集・送信する子局と、監視情報を監視対象外で一括または集中して監視できる親局との間を、複数の監視対象間に構築されたＬＡＮに親局が接続されてＬＡＮを介し、または、複数の監視対象間に構築されたＬＡＮがインターネットに接続され、インターネットに親局が接続されてインターネット及びＬＡＮを介して監視情報を伝送する子局の情報伝送装置を対象とし、複数の監視情報に対応する各インターフェースと、１つのＬＡＮコントローラと、メモリと、１つの中央処理装置とを備えた１つの監視情報処理部からなり、監視情報処理部はＬＡＮに接続され、ＬＡＮコントローラには、固有のＭＡＣアドレスが割り付けられ、メモリには、複数の監視情報に対応するＩＰアドレスがそれぞれ記憶され、ある特定の監視対象に対し、ある特定の監視情報を取得するために、特定の監視対象のＬＡＮコントローラに割り付けられたＭＡＣアドレスと特定の監視情報に割り当てられたＩＰアドレスとを少なくとも付加したパケットが親局から送信されると、ＬＡＮコントローラはパケット中のＭＡＣアドレスをチェックしてパケットが要であるか、不要であるかを判断し、パケットが要であると判断すると、中央処理装置は、パケット中のＩＰアドレスをチェックして複数の監視情報にそれぞれ割り当てたＩＰアドレスと同じか、異なるかを判断し、同じであると判断すると、特定の監視情報に対応するインターフェースを経由して特定の監視情報が変換された信号をＬＡＮコントローラに入力させ、信号を付加したパケットを親局に送信させるようにしたものである。
【発明の効果】
【００２０】
以上のように、請求項１に記載した発明によれば、監視情報の数が多くても１つのＬＡＮコントローラと、メモリと、１つの中央処理装置（ＣＰＵ）とを準備すればよく、また、各監視情報に対応するインターフェースのみを準備すればよいので、コストを低減させることができる。また、監視対象の所有者または管理者からの監視情報を増加する変更を要求された場合、監視情報処理部を追加する改造をなくすことができると共に、この監視情報の増加に対するコストを低減させることができる。
【発明を実施するための最良の形態】
【００２１】
図１は従来の一般的な監視システムに適用される、本発明に係る情報伝送装置の一実施形態を示すブロック図である。図示するように、例えば監視対象２１に設けられている子局の情報伝送装置２１０は、監視対象２１における積算電力量情報Ａ、開閉器の開閉情報Ｂ、パルス電力量情報Ｃ、テレメータ情報Ｄの監視情報を収集・送信するための１つの監視情報処理部２１０ｘから構成されている。なお、監視情報処理部が１つであるので、情報伝送装置２１０はこの監視情報処理部２１０ｘと同じことになる。
【００２２】
監視情報処理部２１０ｘは、ＬＡＮコントローラ２１０ｘ１と、中央処理装置（ＣＰＵ）２１０ｘ２と、メモリ２１０ｘ３と、監視情報Ａ，Ｂ，Ｃ，Ｄにそれぞれ対応する情報Ａ用インターフェース２１０ｘａ４と、情報Ｂ用インターフェース２１０ｘｂ４と、情報Ｃ用インターフェース２１０ｘｃ４と、情報Ｄ用インターフェース２１０ｘｄ４とを備えている。ＬＡＮコントローラ２１０ｘ１及び中央処理装置（ＣＰＵ）２１０ｘ２は１つから構成され、メモリ２１０ｘ３は例えば１つから構成されている。
【００２３】
ＬＡＮコントローラ２１０ｘ１は、ＬＡＮ３に接続されており、ＬＡＮコントローラ２１０ｘ１には、固有のＭＡＣアドレスがハード的に割り付けられている。
【００２４】
メモリ２１０ｘ３には、ソフト的に割り当てた、監視情報Ａ，Ｂ，Ｃ，Ｄに対応するＩＰアドレスが記憶されている。
【００２５】
情報Ａ用インターフェース２１０ｘａ４は、監視情報Ａを信号に変換し、その信号を出力し、情報Ｂ用インターフェース２１０ｘｂ４は、監視情報Ｂを信号に変換し、その信号を出力し、情報Ｃ用インターフェース２１０ｘｃ４は、監視情報Ｃを信号に変換し、その信号を出力し、情報Ｄ用インターフェース２１０ｘｄ４は、監視情報Ｄを信号に変換し、その信号を出力する。
【００２６】
このような構成において、ある特定の監視対象２１に対し、ある特定の監視情報Ａを取得するために、上記特定の監視対象２１のＬＡＮコントローラ２１０ｘ１に割り付けられたＭＡＣアドレスと、上記特定の監視情報Ａに割り当てたＩＰアドレスとを少なくとも付加したパケットが親局（中央制御装置）１から送信されると、そのパケットがＬＡＮ３に伝送されるので、全ての監視対象２１，２２，２３，…でそのパケットが要であるか、不要であるかを判断させることになる。
【００２７】
ＬＡＮ３を介してパケットを受信した監視対象２１では、子局の情報伝送装置２１０を構成する監視情報処理部２１０ｘのＬＡＮコントローラ２１０ｘ１で、パケット中のＭＡＣアドレスがチェックされる。その結果、ＭＡＣアドレスがＬＡＮコントローラ２１０ｘ１の自ＭＡＣアドレスに対応しているので、ＬＡＮコントローラ２１０ｘ１はそのパケットが要であると判断する。
【００２８】
ＬＡＮコントローラ２１０ｘ１はそのパケットが要であると判断すると、中央処理装置（ＣＰＵ）２１０ａ２はパケット中のＩＰアドレスをチェックし、監視情報Ａ，Ｂ，Ｃ，Ｄに対応するＩＰアドレスと同じか、異なるかを判断し、同じであると判断する。その結果、ＩＰアドレスが監視情報Ａに割り当てたＩＰアドレスに対応しているので、中央処理装置（ＣＰＵ）２１０ｘ２は情報Ａ用インターフェース２１０ｘ３を経由して監視情報Ａが変換された信号をＬＡＮコントローラ２１０ｘ１に入力させ、その信号を付加したパケットを親局（中央制御装置）１に送信する。
【００２９】
本発明の情報伝送装置は、上記の監視情報に拘わらず全般の監視システムに適用できる。
【００３０】
本実施形態では、複数の監視対象にそれぞれ設けられた子局と親局との間を、複数の監視対象間に構築されたＬＡＮに親局が接続されてＬＡＮを介して監視情報を伝送するようにしたが、複数の監視対象間に構築されたＬＡＮをインターネットに接続し、インターネットに親局を接続し、インターネット及びＬＡＮを介して監視情報を伝送するようにしてもよい。
【００３１】
また本実施形態では、監視情報Ａ，Ｂ，Ｃ，Ｄをそれぞれ１つとしたが、Ａ１，Ａ２，…、Ｂ１，Ｂ２，…、Ｃ１，Ｃ２，…Ｄ１，Ｄ２，…のように、それぞれ複数の監視情報が監視できるようになっている。
【図面の簡単な説明】
【００３２】
【図１】従来の一般的な監視システムに適用される、本発明に係る情報伝送装置の一実施形態を示すブロック図である。
【図２】従来の一般的な監視システムを示す概略構成図である。
【図３】図２の監視システムに適用される情報伝送装置を示すブロック図である。
【符号の説明】
【００３３】
１  親局（中央制御装置）
３  ＬＡＮ
２１，２２，２３  監視対象
２１０  情報伝送装置
２１０ｘ  監視情報処理部
２１０ｘ１  ＬＡＮコントローラ
２１０ｘ２  中央処理装置（ＣＰＵ）
２１０ｘ３  メモリ
２１０ｘａ４  情報Ａ用インターフェース
２１０ｘｂ４  情報Ｂ用インターフェース
２１０ｘｃ４  情報Ｃ用インターフェース
２１０ｘｄ４  情報Ｄ用インターフェース
【図１】
2007096780.tif 000003
【図２】
2007096780.tif 000004
【図３】
2007096780.tif 000005